(57)【要約】【課題】使用時には個別での搬送機能も有し、また、不使用時には段重ねを可能とする搬送用パレットを提供する。【解決手段】薄型の直方体状の本体部１と、本体部の少なくとも床に面する一方の面の少なくとも３箇所に形成され、本体部を移動可能に支持する小車を着脱自在に取り付けるための小車用取り付け穴３とを具備する。【選択図】      図１
2005014960.tif 000002
【特許請求の範囲】
【請求項１】
薄型の直方体状の本体部と、
該本体部の少なくとも床に面する一方の面の少なくとも３箇所に形成され、該本体部を移動可能に支持する小車を着脱自在に取り付けるための小車用取り付け穴と、
を具備することを特徴とする荷物搬送用パレット。
【請求項２】
前記本体部の少なくとも床に面する一方の面の４辺のうち、少なくとも対向する２辺の近傍に形成され、前記本体部を互いに連結するための連結部をさらに具備することを特徴とする請求項１に記載の荷物搬送用パレット。
【請求項３】
前記本体部に形成され、該本体部を手押しするために用いる手押し部材を着脱可能に取り付けるための取り付け部をさらに具備することを特徴とする請求項１又は２に記載の荷物搬送用パレット。
【発明の詳細な説明】
【０００１】
【発明の属する技術分野】
本発明は、輸送用、倉庫用等の荷物搬送用パレットに関する。
【０００２】
【従来の技術】
従来より、荷物等の搬送用パレットは、木材、プラスチック材料等から作られており、製品、材料等を箱詰めして段重ねし、フォークリフト等で搬送可能な構造になっている。
【０００３】
製造工場や製品倉庫では、多くの搬送用パレットを使用し、空の搬送用パレットの保管のために大きなスペースを必要としており、スペース効率が悪く、また、雑多におけば、安全上の問題も生じかねない。
【０００４】
【特許文献１】
特開平０７−２５７５７４
【特許文献２】
特開２００１−１２２２６８
【特許文献３】
特開平０７−０６９３４８。
【０００５】
【発明が解決しようとする課題】
このため、不使用時の工夫の提案がされ、例えば、折り畳み可能な構造が提案されている（特許文献１、２）。
【０００６】
しかし、これらの文献に記載されている構造はパイプを主体とした構造で、強度的に不安のあるものであり、また、折り畳むことがきわめて容易にできるものでもなかった。
【０００７】
また、パレットを自走させる工夫もあり、その主な構成は、パレット下部に車輪（キャスター）を設けるものである（特許文献３）。
【０００８】
しかし、搬送用パレットの概念からすると、むしろ、台車の部類のものであった。
【０００９】
臨時の工夫として、搬送用パレットに車をつけて活用することも考えられるが、不使用時はその車の存在が邪魔であり、段重ねも出来ず、個別の搬送パレットを自走可能に出来てもスペース効率の改善には繋がらなかった。
【００１０】
従って、本発明は上述した課題に鑑みてなされたものであり、その目的は、使用時には個別での搬送機能も有し、また、不使用時には段重ねを可能とする搬送用パレットを提供することである。
【００１１】
【課題を解決するための手段】
上述した課題を解決し、目的を達成するために、本発明に係わる荷物搬送用パレットは、薄型の直方体状の本体部と、該本体部の少なくとも床に面する一方の面の少なくとも３箇所に形成され、該本体部を移動可能に支持する小車を着脱自在に取り付けるための小車用取り付け穴と、を具備することを特徴とする。
【００１２】
また、この発明に係わる荷物搬送用パレットにおいて、前記本体部の少なくとも床に面する一方の面の４辺のうち、少なくとも対向する２辺の近傍に形成され、前記本体部を互いに連結するための連結部をさらに具備することを特徴とする。
【００１３】
また、この発明に係わる荷物搬送用パレットにおいて、前記本体部に形成され、該本体部を手押しするために用いる手押し部材を着脱可能に取り付けるための取り付け部をさらに具備することを特徴とする。
【００１４】
【発明の実施の形態】
以下、本発明の一実施形態について説明する。
【００１５】
まず、本実施形態の概要について説明する。
【００１６】
本実施形態は、荷物搬送用パレットにおいて、床に面する少なくとも一方の面の、少なくとも３箇所以上に、着脱可能な小車用取り付け穴を有することを特徴とする。
【００１７】
また、荷物搬送用パレットにおいて、荷物搬送用パレットの、床に面する少なくとも一方の面の４辺のうち少なくとも対向する２辺に、荷物搬送用パレットの連結手段を有することを特徴とする。
【００１８】
さらには、荷物搬送用パレットにおいて、床に面する少なくとも一方の面の、少なくとも３箇所以上に、着脱可能な小車用取り付け穴を有し、かつ、荷物搬送用パレットの、床に面する少なくとも一方の面の４辺のうち少なくとも対向する２辺に、荷物搬送用パレットの連結手段を有することを特徴とする。
【００１９】
なお、着脱可能な手押し搬送手段を有する荷物搬送用パレットとしての利用も可能である。
【００２０】
以下、本発明の一実施形態について、図面を参照して具体的に説明する。
【００２１】
本発明の搬送パレットは、従来より一般的である木製であっても、また、プラスチック製であっても良い。このとき、プラスチックの一体成型であっても、部品の組合わせであっても本発明の荷物搬送用パレットは形成可能である。更に、重量物を搭載して利用するのであれば、金属製とすることも可能である。
【００２２】
図１は、本発明の荷物搬送用パレットの一実施形態を示す斜視図である。
【００２３】
図１において、荷物搬送用パレット１は、薄型の略直方体状に形成されており、その側面には、フォークリフトのフォーク等が挿入される長方形状の開口部２が形成されている。そして、床に面する面の、少なくとも３箇所以上に、小車を着脱可能に取り付けるための小車用取り付け穴３が形成されており、利用する小車の大きさや強度は、搭載物の重量により、適宜選定する。
【００２４】
小車取り付け穴３への小車４（図３参照）の取り付け構造としては、螺子穴へのねじ込み式、差込穴への差込式、レバーの上げ下げで梃子の力でロックするレバー締め込み式、等が考えられる。また、単に、小車用取り付け穴３に、小車４を配置して、荷物搬送用パレットを載せるだけでも、可能な場合もある。
【００２５】
この場合、市販のキャスター車のユニットを上記の小車取り付け穴３の位置に配置するだけでは、小車を固定できないので、別途の工夫を追加すると良い。例えば、荷物搬送用パレットに小車を配置する時には、小車の四隅、或いは、小車を囲んで、支柱又は支板が小車を固定し、荷物搬送用パレットを載せた時に、荷物搬送用パレット側の小車に対向する位置に設けておいた凸部が、小車を押出して、荷物搬送用パレットを可動状態にする、等の工夫が考えられる。
【００２６】
上記の小車４の着脱形式により、細部の追加工は必要になるが、図４に示すように、射出成形で着脱位置の凹みの構造を設ける場合は、比較的容易に形成可能である。単なる差込式であれば、射出成形時に同時加工が可能である。また、ねじ込み式ならば、差込式の場合と同様に穴を射出成形時に設け、その穴に雌ねじ穴部材を差し込むことで簡単に構成できる。小車を配置した後、梃子の原理でレバー締め込みをする形式であれば、レバーを追加取り付けする。
【００２７】
次に、不使用時に、段重ねで整理する場合には、図２及び図３に示すように、小車取り付け穴３を搬送パレットの表裏に無関係に予め設けておき、小車４をつけたまま、或いは、脱輪しておいて、段重ねすればよい。
【００２８】
更に、図５に示すように、本実施形態の荷物搬送用パレット１は、その床に面する少なくとも一方の面の４辺のうち少なくとも対向する２辺に、荷物搬送用パレットの連結用凹部１ａを備えている。この連結用凹部１ａに連結部材５をはめ込むことにより、２つの荷物搬送用パレット１を簡単に連結して使用することがができる。
【００２９】
連結部材５は、軽圧入可能なプラスチック製、又は、ゴム製で形成する。荷物搬送用パレット１の各辺に同様の連結用凹部１ａを設けておけば、２連結以上の連結使用をすることもでき、また、搭載物が幅広のものであっても、縦横方向の連結用凹部１ａを利用して、大面積にしての活用ができる。
【００３０】
本実施形態における、連結のための連結用凹部１ａは、上記連結部材５の強度が大きければ、比較的小さくでき、荷物搬送用パレットとしての強度を損なわないようにすることができる。
【００３１】
また、図６に示すように、小車４を取り付けた面とは反対側の面に予め設けてある手押し搬送用のバーの着脱穴６に、バー７をセットして、引くか又は押せば、簡易なカートとしての利用が可能になる。
【００３２】
引っ張り搬送だけの利用であれば、上記のバー７の着脱穴６に紐状体をくくりつけて活用してもよい。
【００３３】
なお、製品を搭載した荷物搬送用パレットに関しては、通常、搬送装置（フォークリフト等）を利用して取り出し作業を行い、他所へ搬送するが、本実施形態の荷物搬送用パレットであれば、フォーク挿入用の開口部２を備えてはいるものの、そのままの姿でも容易に搬送可能であるので、このような搬送装置を不要とすることもできる。
【００３４】
以上説明した様に、本実施形態の荷物搬送用パレットによれば、個別の自走式として使用ができ、軽量物であれば、フォークリフト等を必要としない。また、不使用時には、段重ねが容易であり、使用時の小車も着脱穴に収納することができるので、可動部品を別途に収納する必要も無い。また、連結使用することで、縦長搬送、或いは、面積の大きな搬送物にも簡単に対応できる。
【００３５】
【発明の効果】
以上説明したように、本発明によれば、使用時には個別での搬送機能も有し、また、不使用時には段重ねを可能とする搬送用パレットを提供することが可能となる。
【図面の簡単な説明】
【図１】本発明の荷物搬送用パレットの一実施形態を示す斜視図である。
【図２】荷物搬送用パレットを段重ねした状態を示す図である。
【図３】荷物搬送用パレットに小車を取り付けた状態を示す斜視図である。
【図４】小車の着脱を示す図である。
【図５】荷物搬送用パレットの連結形態（縦列）を示す図である。
【図６】荷物搬送用パレットの手押し搬送可能な状態を示す図である。
【符号の説明】
１  荷物搬送用パレット
１ａ  連結用凹部
３  小車取り付け穴
４  小車
５  連結部材
６  手押し搬送用着脱穴
７  手押し搬送バー
【図１】
2005014960.tif 000003
【図２】
2005014960.tif 000004
【図３】
2005014960.tif 000005
【図４】
2005014960.tif 000006
【図５】
2005014960.tif 000007
【図６】
2005014960.tif 000008